(57)【要約】【課題】    輪ゴムを掛けるだけで様様な品物に取り付けることが可能になり、多目的タグとして使用できるようにし、またタグおよび輪ゴムを容易に取り変え、さらに本来、輪ゴムのみで止めていた品物にタグを容易、迅速かつ確実に取り付けることにより洒落た体裁にするようにする。【解決手段】  板紙１に記入部２を形成する。板紙１に輪ゴム３を着脱自在に取り付ける。【選択図】        図４
0003104833.tif 000002
【実用新案登録請求の範囲】
【請求項１】
板紙に記入部を形成し、前記板紙に輪ゴムを着脱自在に取り付けることを特徴とする多目的タグ。
【請求項２】
輪ゴムを着脱自在に取付ける手段が、記入部の両端縁の近傍に穿設した遊挿孔と前記遊挿孔に連通するガイドスリットとからなり、前記ガイドスリットの幅径が前記輪ゴムの幅径よりも小さく、しかも前記ガイドスリットの一端が前記板紙の外周縁で開口されることを特徴とする請求項１の多目的タグ。
【請求項３】
輪ゴムが１対のガイドスリットの各開口端から前記ガイドスリットを経て各遊挿孔に挿入され、しかも板紙における対応する端縁に設けた各切欠部に係止されることを特徴とする請求項２の多目的タグ。
【請求項４】
板紙がカード紙であり、前記板紙の周辺部がデボス加工により圧縮されて前記板紙の記入部より堅く形成されるとともに前記記入部が凸状に形成されたことを特徴とする請求項１または２の多目的タグ。
【考案の詳細な説明】
【技術分野】
【０００１】
本考案は付け札、下げ札、荷札、付箋等のタグに関する。
【背景技術】
【０００２】
従来のタグは一枚の小片を被取付物に応じた糸や針金で結んで吊下げたり、ラベル状にして裏面に接着層を設け、貼り付けたりしている。
【考案の開示】
【考案が解決しようとする課題】
【０００３】
従来例の場合、１種類のタグを用途の異なる多種類の品物に取り付けることができず、各々の品物に対応する複数種類のタグを製造しなければならず、またタグの孔に糸や針金を通す作業および被取付物に前記糸や針金を着脱する作業を容易かつ迅速にすることができない。またなんらかの理由により既に取り付けたタグを取り変えたり、色の異った糸や針金に取り変えたりするのに手間隙がかかる。
【０００４】
さらに従来例の場合、一枚の小片であり、平面的で目立たず、タグ本来の機能である品物の内容表示としての機能を充分に発揮できない。
【０００５】
本考案は前記従来の欠点を解消するとともに丈夫で、しかも記入しやすくすることを課題とする。
【０００６】
また本来、輪ゴムのみで止めていた品物に容易、迅速かつ確実にタグを取り付け、かつ洒落れた感じを生じさせるようにすることを課題にする。
【課題を解決するための手段】
【０００７】
請求項１の本考案は、板紙に記入部を形成し、前記板紙に輪ゴムを着脱自在に取り付けることを特徴とするものである。
【０００８】
請求項２の本考案は、輪ゴムを着脱自在に取付ける手段が、記入部の両端縁の近傍に穿設した遊挿孔と前記遊挿孔に連通するガイドスリットとからなり、前記ガイドスリットの幅径が前記輪ゴムの幅径よりも小さく、しかも前記ガイドスリットの一端が前記板紙の外周縁で開口されるものである。
【０００９】
請求項３の本考案は、輪ゴムが１対のガイドスリットの各開口端から前記ガイドスリットを経て各遊挿孔に挿入され、しかも板紙における対応する端縁に設けた各切欠部に係止されるものである。
【００１０】
請求項４の本考案は、板紙がカード紙であり、前記板紙の周辺部がデボス加工により圧縮されて前記板紙の記入部より堅く形成されるとともに前記記入部が凸状に形成されたものである。
【考案の効果】
【００１１】
請求項１の本考案によれば、輪ゴムを掛けるだけでタグ本体を様様な品物に取り付けることができ、多目的タグとしての効果を奏することができ、またタグ本体および輪ゴムを容易に取り変えることができ、さらに本来、輪ゴムのみで止めていた品物にタグ本体を容易、迅速かつ確実に取り付けることにより洒落た体裁にすることができる。
【００１２】
請求項２の本考案によれば、請求項１の考案の効果に加え、輪ゴムをタグ本体に、より容易かつ迅速に取り付け、また交換することができる。
【００１３】
請求項３の本考案によれば、請求項２の考案の効果に加えて、タグ本体に輪ゴムを確実に取り付けることができる。
【００１４】
請求項４の本考案によれば、請求項１の考案の効果に加え、記入部が立体的で目立ち、品物の内容表示としてのタグ本来の機能を充分に発揮することができ、しかも周辺部が硬く丈夫であるとともに記入部が軟らかく筆記の感触がよいものである。
【考案を実施するための最良の形態】
【００１５】
細長状の板紙１、具体的にはカード紙（高級板紙）をデボス加工により周辺部８を強圧し、中央長手方向に細長状の記入部２を凸状に形成する。このため周辺部８は圧縮され、加工前の板紙（図２、３の仮想線で示す）よりさらに堅くなり、記入部２が周辺部８より圧縮を受けない分、軟質になる。
【００１６】
記入部２の上下の周辺部８に間隔をおいて正円の遊挿孔４、４つまり輪ゴムの幅径Ｌ２よりも大きい径Ｌ３の透孔を設ける。また上方の遊挿孔４から９０度、下方の遊挿孔４から２７０度の方向に略水平なガイドスリット５、５を連設し、各外端を開口して開口部６を形成する。
【００１７】
各ガイドスリット５はその幅径Ｌ１（具体的には１ｍｍ）を輪ゴム３の幅径Ｌ２（具体的には１．５ｍｍ）より小さくするとともに遊挿孔４に近づくに従ってより小径になるように僅かに傾斜させ、また開口部６のみを凸弧状、つまりラッパ状に形成する。
【００１８】
上下端で、しかも遊挿孔４、４の上下位置に輪ゴム３を係止させるための凹弧状の切欠部７、７を形成する。
【００１９】
１個の輪ゴムをそれぞれ各開口部６からガイドスリット５に嵌入して行き各遊挿孔４内に入れ、さらに各切欠部７に係止して図４で示すように板紙１に輪ゴム３を取り付ける。このとき開口部６はラッパ状であるので、輪ゴム３は入りやすく、しかも輪ゴム３は弾性を有するので幅径Ｌ１の小さいガイドスリット５により収縮されつつ、しかもガイドスリット５は輪ゴム３に押されて僅かに開状態になり、輪ゴム３が遊挿孔４に入った時点で開状態のガイドスリット５は復元して閉状態になり、一旦、収縮した輪ゴム３は元の幅径に復元し、そして記入部２に必要事項を記入し、例えば図５〜７で示すように輪ゴム３で種類の異なる品物ａ（数枚の紙を丸めたもの）、ａ′（ワインボトル）、ａ″（ＤＶＤケースとビデオカセット）等を束ねたり、引っ掛けたりする。
【００２０】
また板紙１若しくは輪ゴム３を交換する場合は、指でガイドスリット５をやや開き気味にし、輪ゴム３を外方に強く引っ張れば板紙１と輪ゴム３は別々になり、その後、他の板紙１若しくは輪ゴム３を前述どおり各ガイドスリット５を介して取り付ければよい。
【図面の簡単な説明】
【００２１】
【図１】本考案におけるタグ本体の正面図である。
【図２】同上における中間省略したＡ−Ａ拡大断面図である。
【図３】同上のＢ−Ｂ拡大断面図である。
【図４】本考案の正面図である。
【図５】本考案の使用状態を示す斜視図である。
【図６】同上の他の使用状態を示す斜視図である。
【図７】同上の、さらに他の使用状態を示す斜視図である。
【符号の説明】
【００２２】
１−板紙
２−記入部
３−輪ゴム
４−遊挿孔
５−ガイドスリット
６−開口端
７−切欠部
８−周辺部
【図１】
0003104833.tif 000003
【図２】
0003104833.tif 000004
【図３】
0003104833.tif 000005
【図４】
0003104833.tif 000006
【図５】
0003104833.tif 000007
【図６】
0003104833.tif 000008
【図７】
0003104833.tif 000009
【手続補正書】
【提出日】平成16年6月21日(2004.6.21)
【手続補正１】
【補正対象書類名】実用新案登録請求の範囲
【補正対象項目名】全文
【補正方法】変更
【補正の内容】
【実用新案登録請求の範囲】
【請求項１】
板紙に記入部を形成し、前記板紙に輪ゴムを着脱自在に取り付け、前記輪ゴムを着脱自在に取付ける手段が、前記記入部の両端縁の近傍に穿設した遊挿孔と前記遊挿孔に連通するガイドスリットとからなり、前記ガイドスリットの幅径が前記輪ゴムの幅径よりも小さく、しかも前記ガイドスリットの一端が前記板紙の外周縁で開口されていることを特徴とする多目的タグ。
【請求項２】
輪ゴムが１対のガイドスリットの各開口端から前記ガイドスリットを経て各遊挿孔に挿入され、しかも板紙における対応する端縁に設けた各切欠部に係止されることを特徴とする請求項１の多目的タグ。
【請求項３】
板紙がカード紙であり、前記板紙の周辺部がデボス加工により圧縮されて前記板紙の記入部より堅く形成されるとともに前記記入部が凸状に形成されたことを特徴とする請求項１の多目的タグ。
【手続補正２】
【補正対象書類名】明細書
【補正対象項目名】全文
【補正方法】変更
【補正の内容】
【考案の詳細な説明】
【技術分野】
【０００１】
本考案は付け札、下げ札、荷札、付箋等のタグに関する。
【背景技術】
【０００２】
従来のタグは一枚の小片を被取付物に応じた糸や針金で結んで吊下げたり、ラベル状にして裏面に接着層を設け、貼り付けたりしている。
【考案の開示】
【考案が解決しようとする課題】
【０００３】
従来例の場合、１種類のタグを用途の異なる多種類の品物に取り付けることができず、各々の品物に対応する複数種類のタグを製造しなければならず、またタグの孔に糸や針金を通す作業および被取付物に前記糸や針金を着脱する作業を容易かつ迅速にすることができない。またなんらかの理由により既に取り付けたタグを取り変えたり、色の異った糸や針金に取り変えたりするのに手間隙がかかる。
【０００４】
さらに従来例の場合、一枚の小片であり、平面的で目立たず、タグ本来の機能である品物の内容表示としての機能を充分に発揮できない。
【０００５】
本考案は前記従来の欠点を解消するとともに丈夫で、しかも記入しやすくすることを課題とする。
【０００６】
また本来、輪ゴムのみで止めていた品物に容易、迅速かつ確実にタグを取り付け、かつ洒落れた感じを生じさせるようにすることを課題にする。
【課題を解決するための手段】
【０００７】
請求項１の本考案は、板紙に記入部を形成し、前記板紙に輪ゴムを着脱自在に取り付け、前記輪ゴムを着脱自在に取付ける手段が、前記記入部の両端縁の近傍に穿設した遊挿孔と前記遊挿孔に連通するガイドスリットとからなり、前記ガイドスリットの幅径が前記輪ゴムの幅径よりも小さく、しかも前記ガイドスリットの一端が前記板紙の外周縁で開口されていることを特徴とするものである。
【０００８】
請求項２の本考案は、輪ゴムが１対のガイドスリットの各開口端から前記ガイドスリットを経て各遊挿孔に挿入され、しかも板紙における対応する端縁に設けた各切欠部に係止されるものである。
【０００９】
請求項３の本考案は、板紙がカード紙であり、前記板紙の周辺部がデボス加工により圧縮されて前記板紙の記入部より堅く形成されるとともに前記記入部が凸状に形成されたものである。
【考案の効果】
【００１０】
請求項１の本考案によれば、輪ゴムを掛けるだけでタグ本体を様様な品物に取り付けることができ、多目的タグとしての効果を奏することができ、また輪ゴムをタグ本体に、より容易かつ迅速に取り付け、また交換することができさらに本来、輪ゴムのみで止めていた品物にタグ本体を容易、迅速かつ確実に取り付けることにより洒落た体裁にすることができる。
【００１１】
請求項２の本考案によれば、請求項１の考案の効果に加えて、タグ本体に輪ゴムを確実に取り付けることができる。
【００１２】
請求項３の本考案によれば、請求項１の考案の効果に加え、記入部が立体的で目立ち、品物の内容表示としてのタグ本来の機能を充分に発揮することができ、しかも周辺部が硬く丈夫であるとともに記入部が軟らかく筆記の感触がよいものである。
【考案を実施するための最良の形態】
【００１３】
細長状の板紙１、具体的にはカード紙（高級板紙）をデボス加工により周辺部８を強圧し、中央長手方向に細長状の記入部２を凸状に形成する。このため周辺部８は圧縮され、加工前の板紙（図２、３の仮想線で示す）よりさらに堅くなり、記入部２が周辺部８より圧縮を受けない分、軟質になる。
【００１４】
記入部２の上下の周辺部８に間隔をおいて正円の遊挿孔４、４つまり輪ゴムの幅径Ｌ２よりも大きい径Ｌ３の透孔を設ける。また上方の遊挿孔４から９０度、下方の遊挿孔４から２７０度の方向に略水平なガイドスリット５、５を連設し、各外端を開口して開口部６を形成する。
【００１５】
各ガイドスリット５はその幅径Ｌ１（具体的には１ｍｍ）を輪ゴム３の幅径Ｌ２（具体的には１．５ｍｍ）より小さくするとともに遊挿孔４に近づくに従ってより小径になるように僅かに傾斜させ、また開口部６のみを凸弧状、つまりラッパ状に形成する。
【００１６】
上下端で、しかも遊挿孔４、４の上下位置に輪ゴム３を係止させるための凹弧状の切欠部７、７を形成する。
【００１７】
１個の輪ゴムをそれぞれ各開口部６からガイドスリット５に嵌入して行き各遊挿孔４内に入れ、さらに各切欠部７に係止して図４で示すように板紙１に輪ゴム３を取り付ける。このとき開口部６はラッパ状であるので、輪ゴム３は入りやすく、しかも輪ゴム３は弾性を有するので幅径Ｌ１の小さいガイドスリット５により収縮されつつ、しかもガイドスリット５は輪ゴム３に押されて僅かに開状態になり、輪ゴム３が遊挿孔４に入った時点で開状態のガイドスリット５は復元して閉状態になり、一旦、収縮した輪ゴム３は元の幅径に復元し、そして記入部２に必要事項を記入し、例えば図５〜７で示すように輪ゴム３で種類の異なる品物ａ（数枚の紙を丸めたもの）、ａ′（ワインボトル）、ａ″（ＤＶＤケースとビデオカセット）等を束ねたり、引っ掛けたりする。
【００１８】
また板紙１若しくは輪ゴム３を交換する場合は、指でガイドスリット５をやや開き気味にし、輪ゴム３を外方に強く引っ張れば板紙１と輪ゴム３は別々になり、その後、他の板紙１若しくは輪ゴム３を前述どおり各ガイドスリット５を介して取り付ければよい。
【図面の簡単な説明】
【００１９】
【図１】本考案におけるタグ本体の正面図である。
【図２】同上における中間省略したＡ−Ａ拡大断面図である。
【図３】同上のＢ−Ｂ拡大断面図である。
【図４】本考案の正面図である。
【図５】本考案の使用状態を示す斜視図である。
【図６】同上の他の使用状態を示す斜視図である。
【図７】同上の、さらに他の使用状態を示す斜視図である。
【符号の説明】
【００２０】
１−板紙
２−記入部
３−輪ゴム
４−遊挿孔
５−ガイドスリット
６−開口端
７−切欠部
８−周辺部